【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
固定式のマシンーツーマシン（Ｍ２Ｍ）デバイスによって実行されるワイヤレス通信の方法であって、
ワイヤレス通信ネットワークの基地局とのトラフィックセッションの開始の前に、前記基地局と関連付けられるページング情報を記憶することと、
前記トラフィックセッションの開始の前に、前記基地局と関連付けられるシステムアクセス情報を受信することと、前記システムアクセス情報は、複数のアクセス構成メッセージの中で前記基地局によって送信される、
前記受信されたシステムアクセス情報を記憶することと、
前記トラフィックセッションの終了時に、前記記憶されているシステムアクセス情報が有効なままであると決定することと、
前記記憶されているシステムアクセス情報が有効なままであると前記決定したことに基づいてスリープ状態へ直接移行することと、および
前記トラフィックセッションの終了時に、前記記憶されているページング情報に従って前記基地局からページングメッセージングを受信するために前記Ｍ２Ｍデバイスを構成することとを備える、上記方法。
【請求項２】
前記スリープ状態へ直接移行することが、
前記記憶されているシステムアクセス情報が有効なままであるとの前記決定に基づいて、前記複数のアクセス構成メッセージの１つまたは複数の受信を不可能にすることを備える、請求項１に記載の方法。
【請求項３】
前記記憶されているシステムアクセス情報が有効なままであると前記決定することが、前記記憶されているシステムアクセス情報と関連付けられるオーバーヘッドタイマーに基づいている、請求項２に記載の方法。
【請求項４】
前記トラフィックセッションの終了時に、前記記憶されているシステムアクセス情報が期限切れになっていると決定することと、および
スリープ状態へ移行する前に、前記記憶されているシステムアクセス情報を検証することとをさらに備える、請求項１に記載の方法。
【請求項５】
前記記憶されているシステムアクセス情報を検証することが、
前記複数のアクセス構成メッセージの１つを受信することと、および
前記記憶されているシステムアクセス情報と関連付けられる構成シーケンス番号を、前記複数のアクセス構成メッセージの前記受信された１つと関連付けられる構成シーケンス番号と比較することとを備える、請求項４に記載の方法。
【請求項６】
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にすることをさらに備える、請求項５に記載の方法。
【請求項７】
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にすることをさらに備える、請求項５に記載の方法。
【請求項８】
前記複数のアクセス構成メッセージが、チャネルリストメッセージ、近隣リストメッセージ、アクセスパラメータメッセージ、またはシステムパラメータメッセージの１つまたは複数を備える、請求項４に記載の方法。
【請求項９】
前記基地局からページングメッセージングを受信するために前記Ｍ２Ｍデバイスを前記構成することが、
パイロット取得または同期信号の復号の１つまたは複数を実行することなく、前記基地局からページングメッセージングを受信するために前記Ｍ２Ｍデバイスを構成することを備える、請求項１に記載の方法。
【請求項１０】
前記記憶されているページング情報がページングチャネルレートを備え、および、ここにおいて、前記方法がさらに、
前記ページングチャネルレートを利用して、前記基地局によって送信されたページングシグナリングを復号することを備える、請求項１に記載の方法。
【請求項１１】
前記記憶されているページング情報がページングスロット周期を備え、および、ここにおいて、前記方法がさらに、
前記ページングスロット周期を利用して、前記基地局によって送信されたページングシグナリングを復号することを備える、請求項１に記載の方法。
【請求項１２】
前記記憶されているページング情報が高速ページングチャネルを復号するためのパラ
メータを備え、および、ここにおいて、前記復号することが、
前記記憶されているページング情報を利用して、前記高速ページングチャネルを通じて前記基地局によって送信されたページングシグナリングを復号することを備える、請求項１に記載の方法。
【請求項１３】
前記トラフィックセッションの間に、前記基地局との同期のためのタイミング情報を受信することと、ここにおいて、さらに前記タイミング情報に少なくとも一部基づいて前記基地局によって送信されたページングメッセージングを受信するために前記Ｍ２Ｍデバイスを構成すること、
を備える、請求項１に記載の方法。
【請求項１４】
固定式のマシンーツーマシン（Ｍ２Ｍ）デバイスによるネットワーク再同期手順を回避するように構成されるワイヤレス通信システムであって、
ワイヤレス通信ネットワークの基地局とのトラフィックセッションの開始の前に、前記基地局と関連付けられるページング情報を、記憶するための手段と、
前記トラフィックセッションの開始の前に、前記基地局と関連付けられるシステムアクセス情報を受信するための手段と、前記システムアクセス情報は、複数のアクセス構成メッセージの中で前記局によって送信される、
前記受信されたシステムアクセス情報を記憶するための手段と、
前記トラフィックセッションの終了時に、前記記憶されているシステムアクセス情報が有効なままであると決定するための手段と、
前記記憶されているシステムアクセス情報が有効なままであると前記決定したことに基づいてスリープ状態へ直接移行するための手段と、および
前記トラフィックセッションの終了時に、前記記憶されているページング情報に従って前記基地局からページングメッセージングを受信するために前記Ｍ２Ｍデバイスを構成するための手段とを備える、上記ワイヤレス通信システム。
【請求項１５】
前記スリープ状態へ直接移行するための前記手段がさらに、
前記記憶されているシステムアクセス情報が有効なままであるという前記決定に基づいて、前記複数のアクセス構成メッセージの１つまたは複数の受信を不可能にするための手段を備える、請求項１４に記載のワイヤレス通信システム。
【請求項１６】
前記記憶されているシステムアクセス情報が有効なままであると前記決定することが、前記記憶されているシステムアクセス情報と関連付けられるオーバーヘッドタイマーに基づいている、請求項１４に記載のワイヤレス通信システム。
【請求項１７】
前記トラフィックセッションの終了時に、前記記憶されているシステムアクセス情報が期限切れになっていると決定するための手段と、および
スリープ状態へ移行する前に、前記記憶されているシステムアクセス情報を検証するための手段とをさらに備える、請求項１４に記載のワイヤレス通信システム。
【請求項１８】
前記記憶されているシステムアクセス情報を検証するための前記手段が、
前記複数のアクセス構成メッセージの１つを受信するための手段と、および
前記記憶されているシステムアクセス情報と関連付けられる構成シーケンス番号を、前記複数のアクセス構成メッセージの前記受信された１つと関連付けられる構成シーケンス番号と比較するための手段とを備える、請求項１７に記載のワイヤレス通信システム。
【請求項１９】
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするための手段をさらに備える、請求項１８に記載のワイヤレス通信システム。
【請求項２０】
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするための手段をさらに備える、請求項１８に記載のワイヤレス通信システム。
【請求項２１】
前記複数のアクセス構成メッセージが、チャネルリストメッセージ、近隣リストメッセージ、アクセスパラメータメッセージ、またはシステムパラメータメッセージの１つまたは複数を備える、請求項１７に記載のワイヤレス通信システム。
【請求項２２】
前記基地局からページングメッセージングを受信するために前記Ｍ２Ｍデバイスを構成するための前記手段はさらに、
パイロット取得または同期信号の復号の１つまたは複数を実行することなく、前記基地局からページングメッセージングを受信するために前記Ｍ２Ｍデバイスを構成するための手段を備える、請求項１４に記載のワイヤレス通信システム。
【請求項２３】
前記記憶されているページング情報がページングチャネルレートを備え、および
前記ページングチャネルレートを利用して、前記基地局によって送信されたページングシグナリングを復号するための手段をさらに備える、請求項１４に記載のワイヤレス通信システム。
【請求項２４】
前記記憶されているページング情報がページングスロット周期を備え、および、
前記ページングスロット周期を利用して、前記基地局によって送信されたページングシグナリングを復号するための手段をさらに備える、請求項１４に記載のワイヤレス通信システム。
【請求項２５】
前記記憶されているページング情報が高速ページングチャネルを復号するためのパラ
メータを備え、および、
前記記憶されているページング情報を利用して、前記高速ページングチャネルを通じて前記基地局によって送信されたページングシグナリングを復号するための手段をさらに備える、請求項１４に記載のワイヤレス通信システム。
【請求項２６】
前記トラフィックセッションの間に、前記基地局との同期のためのタイミング情報を受信するための手段と、ここにおいて、
前記基地局によって送信されたページングメッセージングを受信するように前記Ｍ２Ｍデバイスを構成するための手段は、前記タイミング情報に少なくとも一部基づく、
をさらに備える、請求項１４に記載のワイヤレス通信システム。
【請求項２７】
固定式のマシンーツーマシン（Ｍ２Ｍ）デバイスによるワイヤレス通信のためのコンピュータ実行可能コードを記憶する非一時的コンピュータ可読媒体であって、
ワイヤレス通信ネットワークの基地局とのトラフィックセッションの開始の前に、前記基地局と関連付けられるページング情報を記憶するためのコードと、
前記トラフィックセッションの開始の前に、前記基地局と関連付けられるシステムアクセス情報を受信するためのコードと、前記システムアクセス情報は、複数のアクセス構成メッセージの中で前記基地局によって送信される、
前記受信されたシステムアクセス情報を記憶するためのコードと、
前記トラフィックセッションの終了時に、前記記憶されているシステムアクセス情報が有効なままであると決定するためのコードと、
前記記憶されているシステムアクセス情報が有効なままであると前記決定したことに基づいてスリープ状態へ直接移行するためのコードと、および
前記トラフィックセッションの終了時に、前記記憶されているページング情報に従って前記基地局からページングメッセージングを受信するために前記Ｍ２Ｍデバイスを構成するためのコードと
を備える、上記非一時的コンピュータ可読媒体。
【請求項２８】
前記記憶されているシステムアクセス情報が有効なままであるという前記決定に基づいて、前記複数のアクセス構成メッセージの１つまたは複数の受信を不可能にするためのコードをさらに備える、請求項２７に記載の非一時的コンピュータ可読媒体。
【請求項２９】
前記記憶されているシステムアクセス情報が有効なままであると決定することが、前記記憶されているシステムアクセス情報と関連付けられるオーバーヘッドタイマーに基づく、請求項２７に記載の非一時的コンピュータ可読媒体。
【請求項３０】
前記トラフィックセッションの終了時に、前記記憶されているシステムアクセス情報が期限切れになっていると決定するためのコードと、および
スリープ状態へ移行する前に、前記記憶されているシステムアクセス情報を検証するためのコードとをさらに備える、請求項２７に記載の非一時的コンピュータ可読媒体。
【請求項３１】
前記複数のアクセス構成メッセージの１つを受信するためのコードと、および
前記記憶されているシステムアクセス情報と関連付けられる構成シーケンス番号を、前記複数のアクセス構成メッセージの前記受信された１つと関連付けられる構成シーケンス番号と比較するためのコードとをさらに備える、請求項３０に記載の非一時的コンピュータ可読媒体。
【請求項３２】
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするためのコードをさらに備える、請求項３１に記載の非一時的コンピュータ可読媒体。
【請求項３３】
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするためのコードをさらに備える、請求項３１に記載の非一時的コンピュータ可読媒体。
【請求項３４】
前記複数のアクセス構成メッセージが、チャネルリストメッセージ、近隣リストメッセージ、アクセスパラメータメッセージ、またはシステムパラメータメッセージの１つまたは複数を備える、請求項３０に記載の非一時的コンピュータ可読媒体。
【請求項３５】
パイロット取得または同期信号の復号の１つまたは複数を実行することなく、前記基地局からページングメッセージングを受信するために前記Ｍ２Ｍデバイスを構成するためのコードをさらに備える、請求項２７に記載の非一時的コンピュータ可読媒体。
【請求項３６】
前記記憶されているページング情報がページングチャネルレートを備え、および、ここにおいて、前記非一時的コンピュータ可読媒体がさらに、
前記ページングチャネルレートを利用して前記基地局によって送信されたページングシグナリングを復号するためのコードを備える、請求項２７に記載の非一時的コンピュータ可読媒体。
【請求項３７】
前記記憶されているページング情報がページングスロット周期を備え、および、ここにおいて、前記非一時的コンピュータ可読媒体がさらに、
前記ページングスロット周期を利用して、前記基地局によって送信されたページングシグナリングを復号するためのコードを備える、請求項２７に記載の非一時的コンピュータ可読媒体。
【請求項３８】
前記記憶されているページング情報が高速ページングチャネルを復号するためのパラ
メータを備え、および、ここにおいて、前記非一時的コンピュータ可読媒体がさらに、
前記記憶されているページング情報を利用して、前記高速ページングチャネルを通じて前記基地局によって送信されたページングシグナリングを復号するためのコードを備える、請求項２７に記載の非一時的コンピュータ可読媒体。
【請求項３９】
前記トラフィックセッションの間に、前記基地局との同期のためのタイミング情報を受信するためのコードと、ここにおいて、
前記基地局によって送信されたページングメッセージングを受信するように前記Ｍ２Ｍデバイスを構成するためのコードは、前記タイミング情報に少なくとも一部基づく、
をさらに備える、請求項２７に記載の非一時的コンピュータ可読媒体。
【請求項４０】
ネットワーク再同期を回避するように構成される固定式のマシンーツーマシン（Ｍ２Ｍ）デバイスであって、
ワイヤレス通信ネットワークの基地局とのトラフィックセッションの開始の前に、前記基地局と関連付けられるページング情報を記憶し、
前記トラフィックセッションの開始の前に、前記基地局と関連付けられるシステムアクセス情報を受信し、前記システムアクセス情報は、複数のアクセス構成メッセージの中で前記基地局によって送信される、
前記受信されたシステムアクセス情報を記憶し、
前記トラフィックセッションの終了時に、前記記憶されているシステムアクセス情報が有効なままであると決定し、
前記記憶されているシステムアクセス情報が有効なままであると前記決定したことに基づいてスリープ状態へ直接移行し、および
前記トラフィックセッションの終了時に、前記記憶されているページング情報に従って前記基地局からページングメッセージングを受信するために前記Ｍ２Ｍデバイスを構成する、
ように構成される少なくとも１つのコントローラを備える、固定式のＭ２Ｍデバイス。
【請求項４１】
前記少なくとも１つのコントローラがさらに、
前記記憶されているシステムアクセス情報が有効なままであるとの前記決定に基づいて、前記複数のアクセス構成メッセージの１つまたは複数の受信を不可能にするように構成される、請求項４０に記載の固定式のＭ２Ｍデバイス。
【請求項４２】
前記記憶されているシステムアクセス情報が有効なままであると前記決定することが、前記記憶されているシステムアクセス情報と関連付けられるオーバーヘッドタイマーに基づいている、請求項４０に記載の固定式のＭ２Ｍデバイス。
【請求項４３】
前記少なくとも１つのコントローラがさらに、
前記トラフィックセッションの終了時に、前記記憶されているシステムアクセス情報が期限切れになっていると決定し、および
スリープ状態へ移行する前に、前記記憶されているシステムアクセス情報を検証するように構成される、請求項４０に記載の固定式のＭ２Ｍデバイス。
【請求項４４】
前記少なくとも１つのコントローラがさらに、
前記複数のアクセス構成メッセージの１つを受信し、および
前記記憶されているシステムアクセス情報と関連付けられる構成シーケンス番号を、前記複数のアクセス構成メッセージの前記受信された１つと関連付けられる構成シーケンス番号と比較するように構成される、請求項４３に記載の固定式のＭ２Ｍデバイス。
【請求項４５】
前記少なくとも１つのコントローラがさらに、
前記記憶されているシステムアクセス情報と関連付けられる前記構成シーケンス番号と、前記複数のアクセス構成メッセージの前記受信された１つと関連付けられる前記構成シーケンス番号とが、同じ構成シーケンス番号であると決定したことに基づいて、前記複数のアクセス構成メッセージの１つまたは複数の受信を不可能にするように構成される、請求項４４に記載の固定式のＭ２Ｍデバイス。
【請求項４６】
前記少なくとも１つのコントローラがさらに、
前記記憶されているシステムアクセス情報と関連付けられる前記構成シーケンス番号が、前記複数のアクセス構成メッセージの前記受信された１つと関連付けられる前記構成シーケンス番号と異なると決定したことに基づいて、前記複数のアクセス構成メッセージの受信を可能にするように構成される、請求項４４に記載の固定式のＭ２Ｍデバイス。
【請求項４７】
前記複数のアクセス構成メッセージが、チャネルリストメッセージ、近隣リストメッセージ、アクセスパラメータメッセージ、またはシステムパラメータメッセージの１つまたは複数を備える、請求項４３に記載の固定式のＭ２Ｍデバイス。
【請求項４８】
前記少なくとも１つのコントローラがさらに、
パイロット取得または同期信号の復号の１つまたは複数を実行することなく前記基地局からページングメッセージングを受信するために前記Ｍ２Ｍデバイスを構成するように構成される、請求項４３に記載の固定式のＭ２Ｍデバイス。
【請求項４９】
前記記憶されているページング情報がページングチャネルレートを備え、および、ここにおいて、前記少なくとも１つのコントローラがさらに、
前記ページングチャネルレートを利用して前記基地局によって送信されたページングシグナリングを復号するように構成される、請求項４３に記載の固定式のＭ２Ｍデバイス。
【請求項５０】
前記記憶されているページング情報がページングスロット周期を備え、および、ここにおいて、前記少なくとも１つのコントローラがさらに、
前記ページングスロット周期を利用して、前記基地局によって送信されたページングシグナリングを復号するように構成される、請求項４３に記載の固定式のＭ２Ｍデバイス。
【請求項５１】
前記記憶されているページング情報が高速ページングチャネルを復号するためのパラ
メータを備え、および、ここにおいて、前記少なくとも１つのコントローラがさらに、
前記記憶されているページング情報を利用して、前記高速ページングチャネルを通じて前記基地局によって送信されたページングシグナリングを復号するように構成される、請求項４３に記載の固定式のＭ２Ｍデバイス。
【請求項５２】
前記少なくとも１つのコントローラがさらに、
前記トラフィックセッションの間に、前記基地局との同期のためのタイミング情報を受信するように構成され、ここにおいて前記コントローラが、
前記タイミング情報に少なくとも一部基づいて前記基地局によって送信されたページングメッセージングを受信するために前記Ｍ２Ｍデバイスを構成するように構成される、請求項４３に記載の固定式のＭ２Ｍデバイス。